(57)【要約】【課題】  部品点数を削減でき、取り付けが容易で、取り付けスペースが小さくてすむディスク装置のガイドシャフト取り付け構造を提供する。【解決手段】  ねじりバネ２の固定端４をシャーシ５の裏側に係止させコイル部分１をバネ保持部３に保持し付勢端８を位置決め突起の前面又は背面に形成した係止部９に係止し、ガイドシャフト６を左右の位置決め突起７の間に入れねじりバネ２の付勢端８の上部に位置するようにセットし、ネジ１３でガイドシャフト６を締結したことを特徴とする。また、ネジ１３の螺合開始時点で皿は付勢端８に付勢されないことを特徴とする。【選択図】図３
2006127675.tif 000002
【特許請求の範囲】
【請求項１】
記録媒体に書き込まれた情報の読み込み及び／又は記録媒体への情報の書き込みを行うピックアップユニットと、該ピックアップユニットを移動可能に支持するガイドシャフトと、ガイドシャフトの端部を支持する支持部と、支持部を一体に形成したシャーシとを備えた記録再生装置において、該支持部にはガイドシャフトの側部を支持する垂直に延出した位置決め突起を形成し、該支持部の近傍にはガイドシャフトに付勢力を加える付勢手段と、ガイドシャフトを支持部に締結する締結手段とを備え、該付勢手段を保持するための付勢手段保持部をシャーシに形成するとともに、該付勢手段の付勢力を一定力に止めて係止可能とした係止部を該支持部に一体に形成したことを特徴とするガイドシャフトの取り付け機構を備えた記録再生装置。
【請求項２】
ガイドシャフトに付勢力を加えるための付勢手段としてねじりバネを用い、ねじりバネの一端及びコイル部分をシャーシに形成した付勢手段保持部により保持し、ねじりバネの他端を一定の付勢力を付加して係止部に係止したことを特徴とする請求項１に記載のガイドシャフト取り付け機構を備えた記録再生装置。
【請求項３】
付勢手段による付勢力はガイドシャフトが支持部から外れる方向に働くことを特徴とする請求項１又は請求項２に記載のガイドシャフト取り付け機構を備えた記録再生装置。
【請求項４】
ガイドシャフトを支持部に締結するための締結手段としてネジを用い、シャーシと支持部とを貫通して形成した締結孔を形成し、該ネジを付勢力と対向して締結力が働く方向に螺合したことを特徴とする請求項１、請求項２、又は請求項３に記載のガイドシャフト取り付け機構を備えた記録再生装置。
【請求項５】
付勢手段を保持するための付勢手段保持部として垂直に起立した支持部分と水平に延出した保持部分とを連続して概略Ｌ字形状を成す切り起しをシャーシに形成したことを特徴とする請求項１、請求項２、請求項３、又は請求項４に記載のガイドシャフト取り付け機構を備えた記録再生装置。
【請求項６】
付勢手段の付勢力を一定力に止めて係止するための係止部はフック状を成し、且つガイドシャフトの支持部と一体に形成するとともに、ガイドシャフトの位置決め突起よりも低い位置で付勢手段を係止することを特徴とする請求項１、請求項２、請求項３、請求項４、又は請求項５に記載のガイドシャフト取り付け機構を備えた記録再生装置。
【発明の詳細な説明】
【技術分野】
【０００１】
この発明は、情報の書き込み或いは読み込みを行うディスク装置の内部において、ピックアップユニットをディスクの半径方向に案内するためのガイドシャフトを、トラバースシャーシに高さ調節可能に取り付ける取り付け構造に関するものである。
【背景技術】
【０００２】
ディスク装置は、ターンテーブルによりディスク等の記録媒体を機器の内部で回転させ、ピックアップユニットをディスクの半径方向に摺動させて情報の読み込み或いは書き込みを行っており、このときピックアップユニットを案内する役割を担うのがガイドシャフトであり、ガイドシャフトはトラバースシャーシに取り付けられる構造となっている。
【０００３】
ディスク装置のガイドシャフト取り付け構造を大別すると、シャーシの変位による方式と、ネジ締結方式と、バネ係止方式と、バネで付勢してネジで締結する方式がある。たとえば、特開２００２−５０１３７はシャーシ変位方式であり、特開平７−５７４０４、特開平１１−１２６４４０、特開平１１−２８８５６４、特開２０００−１４９４６６、特開２００２−３３４５２８はネジ締結方式であり、特開平７−１６１１５２、特開２００２−９２８９８はバネ係止方式であり、特開２００２−３６７１８９、特開２００２−３６７３０１はバネ付勢ネジ締結方式である。このうちガイドシャフトの高さ調節が可能なのはバネ付勢ネジ締結方式の取り付け構造である。
【０００４】
バネ付勢ネジ締結方式には、圧縮バネや板バネやねじりバネなどを用いることが可能である。先にあげた特開２００２−３６７１８９や特開２００２−３６７３０１は板バネを用いるタイプである。これらのバネの中で、取り付けられたガイドシャフトを最も安定した力で付勢することができ、高さ調節に際しても安定した力で付勢が可能なのは、ねじりバネである。
【０００５】
ねじりバネをガイドシャフトの取り付けに用いる場合、まずねじりバネをトラバースシャーシに保持し、つぎにねじりバネの先端を圧縮方向に回転させ、つぎにねじりバネを何らかの治具や部品によって圧縮したままの状態でガイドシャフトを取り付け位置にセットし、つぎにガイドシャフトをネジで締結し、最後に高さ調節を行って完了である。ガイドシャフトはねじりバネによる付勢とネジによる締結によってトラバースシャーシに高さ調節可能に取り付けられる。
【０００６】
【特許文献１】特開平７−５７４０４号公報
【特許文献２】特開平７−１６１１５２号公報
【特許文献３】特開平１１−１２６４４０号公報
【特許文献４】特開平１１−２８８５６４号公報
【特許文献５】特開２０００−１４９４６６号公報
【特許文献６】特開２００２−５０１３７号公報
【特許文献７】特開２００２−９２８９８号公報
【特許文献８】特開２００２−３３４５２８号公報
【特許文献９】特開２００２−３６７１８９号公報
【特許文献１０】特開２００２−３６７３０１号公報
【発明の開示】
【発明が解決しようとする課題】
【０００７】
従来のねじりバネを用いた高さ調節が可能なガイドシャフト取り付け構造にはいくつかの問題点があった。一つは、圧縮方向に回転させたねじりバネの先端を係止するための部品や治具を必要とし、その分のスペースを確保しなければならず、トラバースユニット全体の小型化を阻害していた。また、ねじりバネの先端を圧縮方向に回転させて、何らかの治具や部品によってねじりバネを圧縮したままの状態でガイドシャフトを取り付け位置にセットし、ねじりバネを押えながらガイドシャフトをネジで締結しなければならず、ガイドシャフト取り付け作業は容易ではなかった。さらに、バネの付勢をネジの螺合を開始する前から受ける場合は、ネジの螺合を開始するのが容易でなかった。
【０００８】
本発明は、上記の問題を解決し、ガイドシャフトの取り付け時にねじりバネを押えるための手段を部品点数を増やすことなく実現することができ、ガイドシャフトの取り付けを容易に行うことができ、ねじりバネを押える部品のためにトラバースシャーシにスペースを確保する必要がなくトラバースユニット全体の小型化が可能で、ネジの螺合開始が容易であるディスク装置のガイドシャフト取り付け構造を提供することを目的とする。
【課題を解決するための手段】
【０００９】
請求項１に係るガイドシャフト取り付け機構を備えた記録再生装置は、記録媒体に書き込まれた情報の読み込み及び／又は記録媒体への情報の書き込みを行うピックアップユニットと、該ピックアップユニットを移動可能に支持するガイドシャフトと、ガイドシャフトの端部を支持する支持部と、支持部を一体に形成したシャーシとを備えた記録再生装置において、該支持部にはガイドシャフトの側部を支持する垂直に延出した位置決め突起を形成し、該支持部の近傍にはガイドシャフトに付勢力を加える付勢手段と、ガイドシャフトを支持部に締結する締結手段とを備え、該付勢手段を保持するための付勢手段保持部をシャーシに形成するとともに、該付勢手段の付勢力を一定力に止めて係止可能とした係止部を該支持部に一体に形成したことを特徴とする。
【００１０】
請求項２に係るガイドシャフト取り付け機構を備えた記録再生装置は、請求項１に記載のガイドシャフト取り付け機構を備えた記録再生装置において、ガイドシャフトに付勢力を加えるための付勢手段としてねじりバネを用い、ねじりバネの一端及びコイル部分をシャーシに形成した付勢手段保持部により保持し、ねじりバネの他端を一定の付勢力を付加して係止部に係止したことを特徴とする。
【００１１】
請求項３に係るガイドシャフト取り付け機構を備えた記録再生装置は、請求項１又は請求項２に記載のガイドシャフト取り付け機構を備えた記録再生装置において、付勢手段による付勢力はガイドシャフトが支持部から外れる方向に働くことを特徴とする。
【００１２】
請求項４に係るガイドシャフト取り付け機構を備えた記録再生装置は、請求項１、請求項２、又は請求項３に記載のガイドシャフト取り付け機構を備えた記録再生装置において、ガイドシャフトを支持部に締結するための締結手段としてネジを用い、シャーシと支持部とを貫通して形成した締結孔を形成し、該ネジを付勢力と対向して締結力が働く方向に螺合したことを特徴とする。
【００１３】
請求項５に係るガイドシャフト取り付け機構を備えた記録再生装置は、請求項１、請求項２、請求項３、又は請求項４に記載のガイドシャフト取り付け機構を備えた記録再生装置において、付勢手段を保持するための付勢手段保持部として垂直に起立した支持部分と水平に延出した保持部分とを連続して概略Ｌ字形状を成す切り起しをシャーシに形成したことを特徴とする。
【００１４】
請求項６に係るガイドシャフト取り付け機構を備えた記録再生装置は、請求項１、請求項２、請求項３、請求項４、又は請求項５に記載のガイドシャフト取り付け機構を備えた記録再生装置において、付勢手段の付勢力を一定力に止めて係止するための係止部はフック状を成し、且つガイドシャフトの支持部と一体に形成するとともに、ガイドシャフトの位置決め突起よりも低い位置で付勢手段を係止することを特徴とする。
【発明の効果】
【００１５】
請求項１のガイドシャフト取り付け機構を備えた記録再生装置によれば、記録媒体に書き込まれた情報の読み込み及び／又は記録媒体への情報の書き込みを行うピックアップユニットと、該ピックアップユニットを移動可能に支持するガイドシャフトと、ガイドシャフトの端部を支持する支持部と、支持部を一体に形成したシャーシとを備えた記録再生装置において、該支持部にはガイドシャフトの側部を支持する垂直に延出した位置決め突起を形成し、該支持部の近傍にはガイドシャフトに付勢力を加える付勢手段と、ガイドシャフトを支持部に締結する締結手段とを備え、該付勢手段を保持するための付勢手段保持部をシャーシに形成するとともに、該付勢手段の付勢力を一定力に止めて係止可能とした係止部を該支持部に一体に形成したものであるから、シャーシの支持部と一体に係止部を形成しているので、付勢手段の付勢端を押えるための部品或いは押えるための治具が不要となり、部品点数や取り付け工具等の削減が可能となる。また、ガイドシャフトの支持部に付勢手段の付勢端を係止するための係止部が設けられ、且つ支持部の左右の位置決め突起がガイドシャフトを取り付ける際の左右の保持部分となっているため、トラバースユニットの組み立て時におけるガイドシャフトの取り付け作業を短時間で容易に行うことができ、作業性の向上を図ることができる。また、ねじりバネの付勢端を押えるための部品や治具が不要となるので、多数の部品を密集して配置するトラバースユニットにスペースの余裕が生まれるため、トラバースユニット全体の小型化が可能となり、強いては装置全体の小型化につながる。
【００１６】
請求項２のガイドシャフト取り付け機構を備えた記録再生装置によれば、請求項１に記載のガイドシャフト取り付け機構を備えた記録再生装置において、ガイドシャフトに付勢力を加えるための付勢手段としてねじりバネを用い、ねじりバネの一端及びコイル部分をシャーシに形成した付勢手段保持部により保持し、ねじりバネの他端を一定の付勢力を付加して係止部に係止したものであるから、シャーシにガイドシャフトに付勢力を加えるねじりバネを簡単かつ容易に組付けることが可能となり、ねじりバネの組付け作業性を高めることができる。
【００１７】
請求項３のガイドシャフト取り付け機構を備えた記録再生装置によれば、請求項１又は請求項２に記載のガイドシャフト取り付け機構を備えた記録再生装置において、付勢手段による付勢力はガイドシャフトが支持部から外れる方向に働くものであるから、支持部に組付けたガイドシャフトが付勢手段によって付勢され、ガタ付くことなく安定的に支持される。
【００１８】
請求項４のガイドシャフト取り付け機構を備えた記録再生装置によれば、請求項１、請求項２、又は請求項３に記載のガイドシャフト取り付け機構を備えた記録再生装置において、ガイドシャフトを支持部に締結するための締結手段としてネジを用い、シャーシと支持部とを貫通して形成した締結孔を形成し、該ネジを付勢力と対向して締結力が働く方向に螺合したものであるから、締結孔にネジをねじ込んむだけで、ガイドシャフトを簡単に固定することができる。
【００１９】
請求項５のガイドシャフト取り付け機構を備えた記録再生装置によれば、請求項１、請求項２、請求項３、又は請求項４に記載のガイドシャフト取り付け機構を備えた記録再生装置において、付勢手段を保持するための付勢手段保持部として垂直に起立した支持部分と水平に延出した保持部分とを連続して概略Ｌ字形状を成す切り起しをシャーシに形成したものであるから、簡単な構成でシャーシに付勢手段を保持することができる。
【００２０】
請求項６のガイドシャフト取り付け機構を備えた記録再生装置は、請求項１、請求項２、請求項３、請求項４、又は請求項５に記載のガイドシャフト取り付け機構を備えた記録再生装置において、付勢手段の付勢力を一定力に止めて係止するための係止部はフック状を成し、且つガイドシャフトの支持部と一体に形成するとともに、ガイドシャフトの位置決め突起よりも低い位置で付勢手段を係止するものであるから、螺合を開始する時点では付勢手段の付勢力がネジに加わらない構造である為、ガイドシャフトを安定させて保持した状態で、容易にネジの螺合を開始することができる。このためガイドシャフトの取り付けに際し、作業効率が非常に高まる。
【発明を実施するための最良の形態】
【００２１】
以下、本発明に係るディスク装置のガイドシャフト取り付け構造を実施するための最良の形態の一例について図を参照しながら説明するが、本発明は本実施の形態にのみ限定されるべきものではない。
【００２２】
図１は、本発明に係るねじりバネのコイル部分をバネ保持部に保持し固定端をシャーシの裏側に係止し付勢端を係止部に係止させた状態をあらわす正面図、図２は、ガイドシャフトを支持部の左右の位置決め突起の間に保持しねじりバネの付勢端にセットした状態をあらわす正面図、図３は、シャーシのネジ締結孔にネジの螺合を開始した状態をあらわす正面図、図４は、ネジを締結しガイドシャフトの高さ調節をした状態をあらわす正面図、図５は、ガイドシャフトを支持部の左右の位置決め突起の間に保持しねじりバネの付勢端にセットした状態をあらわす底面図、図６は、ネジを締結しガイドシャフトの高さ調節をした状態をあらわす側面図、図７は、シャーシとガイドシャフトとピックアップユニットとターンテーブルで構成されたディスク装置をあらわす説明図、図８は、ガイドシャフトとピックアップユニットを組付けたシャーシをあらわす平面図である。
【００２３】
同図で示すように、シャーシ５には、バネ保持部３が形成され、バネ保持部３の横に支持部１０がアウトサート成形によりシャーシ５と一体に形成され、支持部１０の後方にネジ締結孔１２が形成されている。バネ保持部３は、シャーシ５に形成した孔部１５から垂直に起立した支持部分１６ａと、この支持部分１６ａの先端から水平に延出した保持部分１６ｂとを連続して概略Ｌ字形状を成す切り起し片１６からなり、孔部１５には付勢手段としてのねじりバネ２の固定端４を位置決めするスリット１７が形成されている。支持部１０には左右一対の位置決め突起７が形成されており、少なくとも左右のどちらか一方の位置決め突起７の前面又は背面には係止部９が形成されている。支持部１０もバネ保持部３もネジ締結孔１２よりも前方に配置されている。前後の配置関係は、前から、係止部９が位置決め突起７の前面に形成されている場合は、ネジ締結孔１２、横にずれてバネ保持部３、ネジ締結孔１２の前方に位置決め突起７の順に配置され、係止部９が位置決め突起７の背面に形成されている場合は、ネジ締結孔１２、ネジ締結孔１２の前方に位置決め突起７、横にずれてバネ保持部３、の順に配置される（係止部９が位置決め突起７の前面に形成されたものだけを図示し、背面に形成されたものは図示しない。）。位置決め突起７の対向した内面は垂直に形成されており、左右の位置決め突起７の内面の間隔はガイドシャフト６の直径と同じに形成されている。係止部９は、ねじりバネ２の付勢端８を係止するためにフック状に形成されている。
【００２４】
ガイドシャフト６の取り付けには、バネ保持部３と支持部１０がアウトサート成形により形成されたシャーシ５と、付勢手段としてのねじりバネ２と、締結手段としての皿付のネジ１３を用いる。ガイドシャフト６の取り付け作業は、まず、ねじりバネ２のコイル部分１をバネ保持部３の保持部分１６ｂに挿入するとともに、ねじりバネ２の固定端４をバネ保持部３の切り起こし加工により形成された孔部１５に通すとともに、孔部１５に形成するスリット１７に引っ掛けてシャーシ５の裏側に係止させておく。つぎに、ねじりバネ２の付勢端８を圧縮方向に回転させて支持部１０の係止部９に係止する。つぎに、ガイドシャフト６を、支持部１０の左右の位置決め突起７の間に入れ、ねじりバネ２の付勢端８の上部に位置するようにセットする。これによりガイドシャフト６の横方向の位置決めが完了する。つぎに、ネジ１３をネジ締結孔１２に螺合させる。ねじりバネ２の付勢端８は係止部９に係止されてネジ１３の皿に接触しないので、螺合を開始する時点ではネジ１３の皿はガイドシャフト６から付勢力を加えられずにすみ、容易に螺合を開始することができる。つぎに、ネジ１３をネジ締結孔１２に螺合し締結することにより、ガイドシャフト６の軸方向の動きを封止するとともに、皿の部分でガイドシャフト６の先端を押圧することにより、ねじりバネ２で付勢されたガイドシャフト６の高さ調節をすることが可能となる。
【図面の簡単な説明】
【００２５】
【図１】ねじりバネのコイル部分をバネ保持部に保持し固定端をシャーシの裏側に係止し付勢端を係止部に係止させた状態をあらわす正面図。
【図２】ガイドシャフトを支持部の左右の位置決め突起の間に保持しねじりバネの付勢端にセットした状態をあらわす正面図。
【図３】シャーシのネジ締結孔にネジの螺合を開始した状態をあらわす正面図。
【図４】ネジを締結しガイドシャフトの高さ調節をした状態をあらわす正面図。
【図５】ガイドシャフトを支持部の左右の位置決め突起の間に保持しねじりバネの付勢端にセットした状態をあらわす底面図。
【図６】ネジを締結しガイドシャフトの高さ調節をした状態をあらわす側面図。
【図７】シャーシとガイドシャフトとピックアップユニットとターンテーブルで構成されたディスク装置をあらわす説明図。
【図８】ガイドシャフトとピックアップユニットを組付けたシャーシをあらわす平面図。
【符号の説明】
【００２６】
１  コイル部分
２  ねじりバネ（付勢手段）
３  バネ保持部
４  固定端
５  シャーシ
６  ガイドシャフト
７  位置決め突起
８  付勢端
９  係止部
１０  支持部
１１  ピックアップユニット
１２  ネジ締結孔
１３  ネジ（締結手段）
１６ａ  支持部分
１６ｂ  保持部分
１６  切り起し片
【図１】
2006127675.tif 000003
【図２】
2006127675.tif 000004
【図３】
2006127675.tif 000005
【図４】
2006127675.tif 000006
【図５】
2006127675.tif 000007
【図６】
2006127675.tif 000008
【図７】
2006127675.tif 000009
【図８】
2006127675.tif 000010